(57)【要約】【課題】各腰折湿潤紙状体の上部折片の誘出長を短縮するとともに、上部折片を取出口から容易に摘出・収納でき、相の手組部の寸法を大きく変更できる多重腰折湿潤紙状体の連続取出し構造を提供する。【解決手段】各右向き腰折湿潤紙状体１１の後縁部１１ｃ（又は前縁部１１ｄ）を腰折方向に対して垂直方向に折り返してなる後縁重畳部１６（又は前縁重畳部１７）と、各左向き腰折湿潤紙状体１２の前縁部１２ｄ（又は後縁部１２ｃ）を腰折方向に対して垂直方向に折り返してなる前縁重畳部１７（又は後縁重畳部１６）とを備え、各右向き腰折湿潤紙状体１１と各左向き腰折湿潤紙状体１２とを腰折方向に対して垂直方向の後縁重畳部１６と前縁重畳部１７とが遠ざかる向きにずらした構成とする。【選択図】図１
2008301961.tif 000002
【特許請求の範囲】
【請求項１】
各右向き腰折湿潤紙状体（又は左向き腰折湿潤紙状体）の下部折片と、各左向き腰折湿潤紙状体（又は右向き腰折湿潤紙状体）の上部折片とを相の手に組んで多重腰折湿潤紙状体を形成し、上記多重腰折湿潤紙状体を容器内に収容し、上記容器に設けた取出口より最上位の腰折湿潤紙状体の上部折片を引き出すことにより上記相の手組部において摩擦係合する下位の腰折湿潤紙状体の上部折片の遊離端を上記取出口より誘出させ連続取出しが行われるようにした多重腰折湿潤紙状体の連続取出し構造において、
上記各右向き腰折湿潤紙状体の後縁部（又は前縁部）を腰折方向に対して垂直方向に折り返してなる後縁重畳部（又は前縁重畳部）と、
上記各左向き腰折湿潤紙状体の前縁部（又は後縁部）を腰折方向に対して垂直方向に折り返してなる前縁重畳部（又は後縁重畳部）とを備え、
上記各右向き腰折湿潤紙状体と上記各左向き腰折湿潤紙状体とを腰折方向に対して垂直方向の上記後縁重畳部と上記前縁重畳部とが遠ざかる向きにずらした構成とすることを特徴とする多重腰折湿潤紙状体の連続取出し構造。
【請求項２】
上記腰折湿潤紙状体がウェットティシューであることを特徴とする請求項１に記載の多重腰折湿潤紙状体の連続取出し構造。
【発明の詳細な説明】
【技術分野】
【０００１】
本発明は、多重腰折ウェットティシュー等の多重腰折湿潤紙状体を容器に収容し、容器に設けた取出口より各腰折湿潤紙状体を順次連続して取出し得るようにした多重腰折湿潤紙状体の連続取出し構造に関する。
【背景技術】
【０００２】
多重腰折ウェットティシューは容器内に収容し、容器に設けた取出口より順次取出し得るようにしており、この多重腰折ウェットティシューとしては図７乃至図１２に示すものが知られている。これらの多重腰折ウェットティシューは何れも、各右向き腰折ウェットティシュー１０１（又は左向き腰折ウェットティシュー１０２）の下部折片１０１ａ（又は１０２ａ）と各左向き腰折ウェットティシュー１０２（又は右向き腰折ウェットティシュー１０１）の上部折片１０２ｂ（又は１０１ｂ）とを相の手に組んで多重腰折ウェットティシューを形成し、この多重腰折ウェットティシューを容器１０３内に収容しその天板に設けた取出口１０３ａより最上位の腰折ウェットティシュー１０１又は１０２の上部折片１０１ｂ又は１０２ｂを引き出すことにより上記相の手組部において摩擦係合する下位の腰折ウェットティシューの上部折片１０１ｂ又は１０２ｂの遊離端を上記取出口１０３ａより誘出させ連続取出しが行なえるようにした構成を採用している点で共通している。
【０００３】
而して、図７，図８に示した多重腰折ウェットティシューは当初より最も普遍的に用いられてきているが、図７に示す多重腰折ウェットティシュー１０４は定寸法の腰折ウェットティシューを二つ折りして略二分の一の折片が他の折片と相の手に組まれるようにした構成なので、容器１０３の取出口１０３ａからは腰折ウェットティシュー１０１又は１０２の略二分の一の折片が誘出される。
【０００４】
また、図８に示す多重腰折ウェットティシュー１０４は定寸法の各腰折ウェットティシュー１０１，１０２をＺ形に腰折し下端の折片を他の腰折ウェットティシューの折片と相の手に組む構成なので、容器１０３の取出口１０３ａからは腰折ウェットティシュー１０１，１０２の略三分の一の折片が誘出される。
【０００５】
上記のように、図７，図８に示す多重腰折ウェットティシュー１０４は何れも定長の腰折ウェットティシュー１０１，１０２の略二分の一乃至三分の一が取出口１０３ａより外方へ誘出され、誘出長が長過ぎ美感を損なうとの指摘がなされている。
【０００６】
殊に、多重腰折ウェットティシュー１０４は薬液等を湿潤した状態であり、各腰折ウェットティシューの折片がその端末から相当の長さに亘って薬液により接着するので、取出口１０３ａより取り出そうとする腰折ウェットティシューに次に続く腰折ウェットティシューの全体が友連れされて取出されてしまう欠点を有する。
【０００７】
加えて、ウェットティシューは容器の取出口から誘出された部分が乾いてしまい、その効用を喪失するので、上記誘出長はできるだけ短かくすることが望まれるが、図７，図８の場合には上記誘出長が長過ぎる欠点を有する。上記二つの理由から図７，図８の例はウェットティシューには実施困難であり加えて美感を損なう問題点を有している。
【０００８】
また、図９Ａ，図１０Ａに示すように、上記Ｚ形に腰折りした各腰折ウェットティシュー１０１，１０２の腰折位置を調整することにより各腰折ウェットティシューの端部折片間の相の手組部の寸法をできるだけ短縮する方法が思考されているが、図９Ａの場合には相の手組部が、図９Ｂに示すように多重腰折ウェットティシュー１０４の左半部又は右半部の一方に偏在するため一方が嵩高になってしまう欠点を有している。
【０００９】
また、図１０Ａの場合には相の手組部が、図１０Ｂに示すように多重腰折ウェットティシュー１０４の中間部に集中し膨らみを生ずる欠点を有している。したがって、図９又は図１０の何れの場合も、複数の多重腰折ウェットティシュー１０４を積上げた場合には荷崩れを生じがちであり、又局部が嵩高になり商品性を損なう問題を有している。
【００１０】
次に、図１１に示すように、上記多重腰折ウェットティシュー１０４が極部的に嵩高になるのを防止せんとして、二つ折りにした各腰折ウェットティシュー１０１，１０２の腰折位置を調整することにより各腰折ウェットティシューの端部折片の相の手組部が多重腰折ウェットティシューの左半部と右半部に按分されるようにした例が思考されている。
【００１１】
しかしながら、この方法は多重腰折ウェットティシューの局部が嵩高になる欠点を防止できるが、二つ折りした各腰折ウェットティシュー１０１，１０２の上部折片１０１ｂ，１０２ｂの巾が下部折片１０１ａ，１０２ａを短縮した分だけ長くなり、結果として容器の巾が図７の場合よりも大巾に長くなってしまい、実施し難い問題を有している。
【００１２】
また、図１１の場合には、摘出に供される各腰折ウェットティシュー１０１，１０２の上部折片１０１ｂ，１０２ｂの誘出長が、図８の場合と同様腰折ウェットティシューの略三分の一に達する問題を内在している。
【００１３】
このような問題を解決する多重腰折ウェットティシューとして、図１２に示す技術が知られている（特許文献１を参照。）。この多重腰折ウェットティシュー１１４は、各右向き腰折ウェットティシュー１１１と左向き腰折ウェットティシュー１１２とを相の手に組んで多重腰折ウェットティシュー１１４を形成し、この多重腰折ウェットティシュー１１４を容器１１３内に収容して上部接片１１１ｂ，１１２ｂを摘出し連続取出しを行なうようにする場合に、上記各右向きと左向き腰折ウェットティシュー１１１，１１２の下部折片１１１ａ，１１２ａの遊離端側を各腰折ウェットティシューの腰折り方向とは逆方向に折り返して短巾の重畳端１１１ｃ，１１２ｃを形成し、上記各右向き腰折ウェットティシュー１１１の短巾重畳端１１１ｃと各左向き腰折ウェットティシュー１１２の短巾重畳端１１２ｃとを下位の腰折ウェットティシューの上部折片１１１ｂ，１１２ｂの遊離端側と相の手に組むようにし、上記右向き腰折ウェットティシュー１１１の短巾重畳端１１１ｃと左向き腰折ウェットティシュー１１２の短巾重畳端１１２ｃとが多重腰折ウェットティシュー１１４の左側と右側に按分されるように構成したものである。
【００１４】
この多重腰折ウェットティシュー１１４によれば、各上位腰折ウェットティシュー１１１，１１２の下部折片１１１ａ，１１２ａの上記短巾重畳端１１１ｃ，１１２ｃと各下位腰折ウェットティシューの上部折片１１１ｂ，１１２ｂとによる相の手組部の寸法を腰折ウェットティシュー１１１，１１２の展開長の略四分の一に縮小でき、この結果、相の手組部における摩擦係合によって容器１１３の取出口１１３ａから誘出される各腰折ウェットティシュー１１１，１１２の上部折片１１１ｂ，１１２ｂの寸法は最大上記略四分の一の寸法に短縮できる。
【００１５】
したがって、この多重腰折ウェットティシュー１１４によれば、上位腰折ウェットティシュー１０１，１０２の下部折片１０１ａ，１０２ａの全巾と下位腰折ウェットティシュー１０１，１０２の上部折片１０１ｂ，１０２ｂの全巾とが液により接着して下位腰折ウェットティシュー１０１，１０２全体又は同下位ウェットティシュー１０１，１０２の上部折片１０１ｂ，１０２ｂを容器１０３の取出口１０３ａより過度に引き出してしまう不具合を解消できる。
【００１６】
また、この多重腰折ウェットティシュー１１４によれば、上記相の手組部を多重腰折ウェットティシュー１１４の左側と右側に略均等に按分することができるので、多重腰折ウェットティシュー１１４の局部を嵩高にする問題も併せて解消できる。
【特許文献１】特開平７−２１３４５３号公報
【特許文献２】特開平５−２６９０５１号公報
【特許文献３】特公昭６３−６３２１６号公報
【特許文献４】実開昭５７−１２４２９７号公報
【特許文献５】特開昭５９−１９４７２３号公報
【特許文献６】実開昭５７−１２３７７３号公報
【特許文献７】実開平２−２５４４３号公報
【特許文献８】実開平５−７０３８８号公報
【特許文献９】実開昭６３−１８６６８９号公報
【発明の開示】
【発明が解決しようとする課題】
【００１７】
ところで、通常、多重腰折ウェットティシュー等の多重腰折湿潤紙状体の容器には取出口を密閉する蓋材が剥離可能に貼着されており、ユーザは、腰折湿潤紙状体の取出し時には、蓋材を剥がして取出口を露出させ、収納されている最上位の腰折湿潤紙状体の上部折片を摘んで取り出し、腰折湿潤紙状体の連続取出し後には、腰折湿潤紙状体の乾燥を防ぐため、摘出されている上記上部折片を容器内に収納し、蓋材を再度貼着して取出口を密閉する。
【００１８】
しかしながら、従来の多重腰折ウェットティシュー１１４は、各上位腰折ウェットティシュー１１１，１１２の下部折片１１１ａ，１１２ａの上記短巾重畳端１１１ｃ，１１２ｃと各下位腰折ウェットティシューの上部折片１１１ｂ，１１２ｂとを腰折方向に対して垂直方向にずらすことなく多重ねして相の手組部を形成しているため、下位腰折ウェットティシュー１１１，１１２の上部折片１１１ｂ，１１２ｂの遊離端が容器１１３の取出口１１３ａから腰折方向に対して垂直方向に全巾で誘出される。
【００１９】
また、従来の多重腰折ウェットティシュー１１４は、各下位腰折ウェットティシュー１１１，１１２の上部折片１１１ｂ，１１２ｂの末端が各腰折ウェットティシュー１１１，１１２の腰折線Ｓ１に揃うように多重ねされている。
【００２０】
さらに、通常、多重腰折ウェットティシュー１１４の乾燥を可及的に回避するとともに薬液等によって接着した各腰折ウェットティシュー１１１，１１２が友連れされて取り出されることを防止するため、多重腰折ウェットティシュー１１４の容器１１３の上面部中心に設けられた取出口１１３ａは、乾式ティシューペーパ等の場合と比較してより小さなものとなっている。
【００２１】
而して、従来の多重腰折ウェットティシュー１１４は、上述した構造的な理由に起因して次のような問題を有している。上述のとおり、上記上部折片１１１ｂ，１１２ｂの遊離端は、容器１１３の上面部中心に設けられた小さな取出口１１３ａを介して腰折方向に対して垂直方向に全巾で誘出されるため、皺が幾重にも寄った状態にならざるを得ない。このため、ユーザは、摘出された状態にある上記上部折片１１１ｂ，１１２ｂの皺を伸ばした後、上記上部折片１１１ｂ，１１２ｂの末端が各腰折ウェットティシュー１１１，１１２の腰折線Ｓ１のところまで達するように小さな取出口１１３ａを介して重ね合わせるか、或いは、取出口１１３ａの付近に上記上部折片１１１ｂ，１１２ｂを皺が幾重にも寄った状態のまま無理矢理折固めるようにして容器１１３に収納することになる。
【００２２】
前者の場合には、ユーザの手を煩わせるとともに、ユーザの手を介して上記上部折片１１１ｂ，１１２ｂに雑菌等が付着し易く、上記上部折片１１１ｂ，１１２ｂの末端が容器１１３内の端にくるため、次回に、腰折ウェットティシュー１１１，１１２を取り出し難くなるという欠点がある。一方、後者の場合には、取出口１１３ａの付近が嵩高になり、美感を損なうことに加えて、比較的軟質な材料からなる容器に皺が寄り容器１１３の密閉性を保ち難くなるため、多重腰折ウェットティシュー１１４が乾燥し易くなるという欠点がある。すなわち、従来の多重腰折ウェットティシュー１１４は、収納されている最上位の腰折ウェットティシュー１１１，１１２の上部折片１１１ｂ，１１２ｂを取出口１１３ａから摘出し難く、摘出された状態にある上記上部折片１１１ｂ，１１２ｂを容器１１３内に収納し難いという問題を有している。
【００２３】
また、従来の多重腰折ウェットティシュー１１４は次のような問題を有している。従来の多重腰折ウェットティシュー１１４は、理論上、上記相の手組部の寸法を縮小しながら、上記相の手組部を多重腰折ウェットティシュー１１４の左側と右側に略均等に按分することは可能であるが、上記相の手組部の縮小巾が大きいと図１０に示した例とは逆に多重腰折ウェットティシュー１１４の両端部が嵩高になるという欠点がある。すなわち、従来の多重腰折ウェットティシュー１１４は、両端部が嵩高になり商品性を損なわないためには、実用上、ウェットティシューの材質や薬液等の種類・量に応じて上記相の手組部の寸法を大きく変更することができないという問題を有している。
【００２４】
そこで、本発明が解決しようとする課題は、多重腰折湿潤紙状体における各腰折湿潤紙状体の上部折片の誘出長を従来よりも効果的に短縮するとともに、収納されている最上位の腰折湿潤紙状体の上部折片を取出口から容易に摘出でき、摘出された状態にある上記上部折片を容器内に収納し易くでき、実用上、腰折湿潤紙状体の材質や薬液等の種類・量に応じて各腰折湿潤紙状体間の相の手組部の寸法を大きく変更することができる多重腰折湿潤紙状体の連続取出し構造を提供することである。
【課題を解決するための手段】
【００２５】
本発明は、上記課題を解決するためになされたもので、各右向き腰折湿潤紙状体（又は左向き腰折湿潤紙状体）の下部折片と、各左向き腰折湿潤紙状体（又は右向き腰折湿潤紙状体）の上部折片とを相の手に組んで多重腰折湿潤紙状体を形成し、上記多重腰折湿潤紙状体を容器内に収容し、上記容器に設けた取出口より最上位の腰折湿潤紙状体の上部折片を引き出すことにより上記相の手組部において摩擦係合する下位の腰折湿潤紙状体の上部折片の遊離端を上記取出口より誘出させ連続取出しが行われるようにした多重腰折湿潤紙状体の連続取出し構造において、上記各右向き腰折湿潤紙状体の後縁部（又は前縁部）を腰折方向に対して垂直方向に折り返してなる後縁重畳部（又は前縁重畳部）と、上記各左向き腰折湿潤紙状体の前縁部（又は後縁部）を腰折方向に対して垂直方向に折り返してなる前縁重畳部（又は後縁重畳部）とを備え、上記各右向き腰折湿潤紙状体と上記各左向き腰折湿潤紙状体とを腰折方向に対して垂直方向の上記後縁重畳部と上記前縁重畳部とが遠ざかる向きにずらした構成とすることを特徴としている。
【００２６】
本発明によれば、上記各右向き腰折湿潤紙状体と上記各左向き腰折湿潤紙状体とを腰折方向に対して垂直方向の上記後縁重畳部と上記前縁重畳部とが遠ざかる向きにずらした構成であるため、上記相の手組部の面積を縮小できる。例えば、図７に示す折構造を腰折方向に適用し腰折方向に対して垂直方向へのずらし巾を二分の一とした場合、上記相の手組部の面積は各腰折湿潤紙状体の面積の四分の一の面積に縮小できる。また、例えば、図８に示す折構造を腰折方向に適用し腰折方向に対して垂直方向へのずらし巾を二分の一とした場合、上記相の手組部の面積は各腰折湿潤紙状体の面積の六分の一の面積に縮小できる。
【００２７】
また、上記各右向き腰折湿潤紙状体と上記各左向き腰折湿潤紙状体とを腰折方向に対して垂直方向にずらした構成であるため、腰折方向の引張力に対して、最上位の腰折湿潤紙状体の下部折片と下位腰折湿潤紙状体の上部折片との関係では、上記相の手組部でのみ摩擦力が作用し、上記前縁重畳部又は上記後縁重畳部では摩擦力が作用しない。
【００２８】
このため、最上位の腰折湿潤紙状体の上部折片を摘出すると、最上位の腰折湿潤紙状体の上記前縁重畳部又は上記後縁重畳部の下部折片が順に取り出され、続いて、摩擦力が最も大きくなる対角線方向に上記相の手組部の下部折片が徐々に取り出され、最後に、上記相の手組部を形成する最上位の腰折湿潤紙状体の下部折片の、摩擦力が最も大きくなる対角線方向のコーナーが取り出されるように引張力が作用する。この結果、下位腰折湿潤紙状体の上部折片のコーナーが容器の取出口から誘出される。
【００２９】
さらに、上記各右向き腰折湿潤紙状体と上記各左向き腰折湿潤紙状体とを腰折方向に対して垂直方向の上記後縁重畳部と上記前縁重畳部とが遠ざかる向きにずらした構成であるため、上記相の手組部が多重腰折湿潤紙状体の中心部に形成される。このため、容器の上面部中心に設けられた取出口から誘出される下位腰折湿潤紙状体の上部折片のコーナーが取出口の近傍にくるようにできる。
【００３０】
上記のように、上記相の手組部の面積を従来よりも縮小できることに加えて、下位腰折湿潤紙状体の上部折片のコーナーが取出口から誘出されるため、多重腰折湿潤紙状体における各腰折湿潤紙状体の上部折片の誘出長を従来よりも効果的に短縮することができる。
【００３１】
また、多重腰折湿潤紙状体における各腰折湿潤紙状体の上部折片の誘出長を従来よりも効果的に短縮できることに加えて、下位腰折湿潤紙状体の上部折片のコーナーが容器の上面部中心に設けられた取出口の近傍にくるため、収納されている最上位の腰折湿潤紙状体の上部折片を取出口から容易に摘出でき、摘出された状態にある上記上部折片を容器内に収納し易くできる。
【００３２】
また、本発明によれば、上記前縁重畳部及び上記後縁重畳部の折巾を調節することができるため、多重腰折湿潤紙状体の局部を嵩高にすることなく上記各右向き腰折湿潤紙状体と上記各左向き腰折湿潤紙状体とのずらし巾を変更することができる。
【００３３】
したがって、実用上、腰折湿潤紙状体の材質や薬液等の種類・量に応じて上記相の手組部の寸法を大きく変更することができる。
【発明の効果】
【００３４】
本発明によれば、多重腰折湿潤紙状体における各腰折湿潤紙状体の上部折片の誘出長を従来よりも効果的に短縮するとともに、収納されている最上位の腰折湿潤紙状体の上部折片を取出口から容易に摘出でき、摘出された状態にある上記上部折片を容器内に収納し易くでき、実用上、腰折湿潤紙状体の材質や薬液等の種類・量に応じて各腰折湿潤紙状体間の相の手組部の寸法を大きく変更することができる多重腰折湿潤紙状体の連続取出し構造を提供することができる。
【発明を実施するための最良の形態】
【００３５】
以下、本発明を適用した具体的な実施の形態について、図面を参照しながら詳細に説明する。本発明は、例えば図１に示すような構成の多重腰折湿潤紙状体１に適用される。
【００３６】
先ず、図１乃至図５を参照して、多重腰折湿潤紙状体１の構成について説明する。本発明の第１乃至第３実施例に係る多重腰折湿潤紙状体１は、図１又は図２に示すように、右向き腰折湿潤紙状体１１と左向き腰折湿潤紙状体１２とからなり、各右向き腰折湿潤紙状体１１（又は左向き腰折湿潤紙状体１２）の下部折片１１ａ（又は１２ａ）と、各左向き腰折湿潤紙状体１２（又は右向き腰折湿潤紙状体１１）の上部折片１２ｂ（又は１１ｂ）とを相の手に組んで多重ねにしている。
【００３７】
換言すると、各右向き腰折湿潤紙状体１１（又は各左向き腰折湿潤紙状体１２）の下部折片１１ａ（又は１２ａ）の内面に各左向き腰折湿潤紙状体１２（又は各右向き腰折湿潤紙状体１１）の上部折片１２ｂ（又は１１ｂ）の内面が重なるように交叉掛けにする。この重なった部分を相の手組部１５と称する。
【００３８】
ここで、右向き腰折湿潤紙状体１１とは左側に腰折り用の腰折線Ｓ１を有して右オープンとなされた腰折湿潤紙状体を意味し、左向き腰折湿潤紙状体１２とは左側に腰折り用の腰折線Ｓ１を有して左オープンとなされた腰折湿潤紙状体を意味する。また、湿潤紙状体とはウェットティシューやウェットタオル等の湿潤紙又は湿潤紙状のものを意味する。なお、相の手組部１５の組み方は、各右向き腰折湿潤紙状体１１の下部折片１１ａと、各左向き腰折湿潤紙状体１２の上部折片１２ｂとを相の手に組む場合と、各左向き腰折湿潤紙状体１２の下部折片１２ａと、各右向き腰折湿潤紙状体１１の上部折片１１ｂとを相の手に組む場合との２通りあるが、便宜上後者の場合の図示を省略している。
【００３９】
また、第１及び第３実施例は、図３に示すように、上記各右向き腰折湿潤紙状体１１の後縁部１１ｃを腰折方向に対して垂直方向に折り返してなる後縁重畳部１６と、上記各左向き腰折湿潤紙状体１２の前縁部１２ｄを腰折方向に対して垂直方向に折り返してなる前縁重畳部１７とを備えている。
【００４０】
また、第２実施例は、図４に示すように、上記各右向き腰折湿潤紙状体１１の前縁部１１ｄを腰折方向に対して垂直方向に折り返してなる前縁重畳部１７と、上記各左向き腰折湿潤紙状体１２の後縁部１２ｃを腰折方向に対して垂直方向に折り返してなる後縁重畳部１６とを備えている。図４に示す第２実施例は、図３に示す第１及び第３実施例と各腰折湿潤紙状体１１，１２の腰折方向に平行な軸を対称軸とする線対称の関係にある。
【００４１】
また、第１乃至第３実施例は、図１又は図２に示すように、上記各右向き腰折湿潤紙状体１１と上記各左向き腰折湿潤紙状体１２とを腰折方向に対して垂直方向の上記後縁重畳部１６と上記前縁重畳部１７とが遠ざかる向きにずらした構成とする。
【００４２】
上記各右向き腰折湿潤紙状体１１と上記各左向き腰折湿潤紙状体１２との腰折方向に対して垂直方向へのずらし巾は、腰折湿潤紙状体の材質や薬液等の種類・量に応じて決めることができる。上記相の手組部１５における、各右向き腰折湿潤紙状体１１（又は各左向き腰折湿潤紙状体１２）の下部折片１１ａ（又は１２ａ）（以下、組部下部折片１１ｅ（又は１２ｅ）という。）と各左向き腰折湿潤紙状体１２（又は各右向き腰折湿潤紙状体１１）の上部折片１２ｂ（又は１１ｂ）（以下、組部上部折片１２ｆ（又は１１ｆ）という。）との接着の程度が強い場合には、容器１３の取出口１３ａから腰折湿潤紙状体が友連れされて取り出されることを回避するため、腰折方向に対して垂直方向へのずらし巾を大きくして上記相の手組部１５の面積を小さくし、多重腰折湿潤紙状体１が局部的に嵩高とならないように、後縁部１１ｃ（又は前縁部１１ｄ）及び前縁部１２ｄ（又は後縁部１２ｃ）の腰折方向に対して垂直方向の寸法を大きくして上記前縁重畳部１７及び上記後縁重畳部１６の折巾を大きくする。
【００４３】
一方、上記相の手組部１５における、各右向き腰折湿潤紙状体１１（又は各左向き腰折湿潤紙状体１２）の組部下部折片１１ｅ（又は１２ｅ）と各左向き腰折湿潤紙状体１２（又は各右向き腰折湿潤紙状体１１）の組部上部折片１２ｆ（又は１１ｆ）との接着の程度が弱い場合には、容器１３の取出口１３ａから各腰折湿潤紙状体１１，１２を連続的に取り出せるように、腰折方向に対して垂直方向へのずらし巾を小さくして上記相の手組部１５の面積を大きくし、多重腰折湿潤紙状体１が局部的に嵩高とならないように、後縁部１１ｃ（又は前縁部１１ｄ）及び前縁部１２ｄ（又は後縁部１２ｃ）の腰折方向に対して垂直方向の寸法を小さくして上記前縁重畳部１７及び上記後縁重畳部１６の折巾を小さくする。
【００４４】
第１実施例は、図３に示すように、腰折方向に対して垂直方向へのずらし巾を二分の一としている。この場合、上記相の手組部１５の面積は各腰折湿潤紙状体１１，１２の面積の四分の一の面積となる。ここで、上記相の手組部１５が上記前縁重畳部１７又は上記後縁重畳部１６の何れとも重ならないようにするには、後縁部１１ｃ（又は前縁部１１ｄ）及び前縁部１２ｄ（又は後縁部１２ｃ）並びに上記前縁重畳部１７及び上記後縁重畳部１６の腰折方向に対して垂直方向の寸法は各腰折湿潤紙状体の腰折方向に対して垂直方向の寸法の四分の一以下とする。
【００４５】
また、第３実施例では、図５に示すように、腰折方向に対して垂直方向へのずらし巾を三分の二としている。この場合、上記相の手組部１５の面積は各腰折湿潤紙状体１１，１２の面積の六分の一の面積となる。ここで、上記相の手組部１５が上記前縁重畳部１７又は上記後縁重畳部１６の何れとも重ならないようにするには、後縁部１１ｃ（又は前縁部１１ｄ）及び前縁部１２ｄ（又は後縁部１２ｃ）並びに上記前縁重畳部１７及び上記後縁重畳部１６の腰折方向に対して垂直方向の寸法は各腰折湿潤紙状体の腰折方向に対して垂直方向の寸法の三分の一以下とする。
【００４６】
なお、第１乃至第３実施例は、図７に示す折構造を腰折方向に適用し、上記後縁重畳部１６を設けた上記各右向き腰折湿潤紙状体１１と上記前縁重畳部１７を設けた上記各左向き腰折湿潤紙状体１２とを腰折方向に対して垂直方向にずらした構成であるが、腰折方向の折構造については、図７に示す例に限定されない。例えば、図８や図１２に示す折構造を腰折方向に適用することもできる。図８に示す折構造を腰折方向に適用し、腰折方向に対して垂直方向へのずらし巾を二分の一とした場合、上記相の手組部１５の面積は各腰折湿潤紙状体１１，１２の面積の六分の一の面積に縮小できる。
【００４７】
続いて、図６を参照して、本発明の第１実施例（及び第２実施例）に係る多重腰折湿潤紙状体１の加工法について説明する。先ず、上記各右向き腰折湿潤紙状体１１の後縁部１１ｃ（前縁部１１ｄ）を腰折方向に対して垂直方向の寸法が略四分の一となるところＳＬで折り返して後縁重畳部１６（又は前縁重畳部１７）を形成し、上記各左向き腰折湿潤紙状体１２の前縁部１２ｄ（又は後縁部１２ｃ）を腰折方向に対して垂直方向の寸法が略四分の一となるところＳＬで折り返して前縁重畳部１７（又は後縁重畳部１６）を形成する。
【００４８】
次に、各右向き腰折湿潤紙状体１１（又は左向き腰折湿潤紙状体１２）の組部下部折片１１ｅ（又は１２ｅ）と、各左向き腰折湿潤紙状体１２（又は右向き腰折湿潤紙状体１１）の組部上部折片１２ｆ（又は１１ｆ）とを相の手に組んで多重ねする。すなわち、各右向き腰折湿潤紙状体１１（又は各左向き腰折湿潤紙状体１２）の組部下部折片１１ｅ（又は１２ｅ）の内面に各左向き腰折湿潤紙状体１２（又は各右向き腰折湿潤紙状体１１）の組部上部折片１２ｆ（又は１１ｆ）の内面が重なるように交叉掛けし、多重腰折湿潤紙状体１を得る。
【００４９】
本発明の第３実施例に係る多重腰折湿潤紙状体１の加工法において、上述の第１実施例（及び第２実施例）の加工法と異なる点は、上記各右向き腰折湿潤紙状体１１の後縁部１１ｃ（前縁部１１ｄ）を腰折方向に対して垂直方向の寸法が略三分の一となるところＳＬで折り返して後縁重畳部１６（又は前縁重畳部１７）を形成し、上記各左向き腰折湿潤紙状体１２の前縁部１２ｄ（又は後縁部１２ｃ）を腰折方向に対して垂直方向の寸法が略三分の一となるところＳＬで折り返して前縁重畳部１７（又は後縁重畳部１６）を形成する点である。
【００５０】
このようにして形成された多重腰折湿潤紙状体１を図２に示すように容器１３内に収容し、この容器１３の天板に設けた取出口１３ａより最上位の腰折湿潤紙状体１１又は１２の組部上部折片１１ｆ又は１２ｆを引き出すことにより上記相の手組部１５において摩擦係合する下位の腰折湿潤紙状体１２又は１１の組部上部折片１２ｆ又は１１ｆのコーナー１８を上記取出口１３ａより誘出させ連続取出しが行なえるようにする。
【００５１】
最後に、上述した構成の多重腰折湿潤紙状体１の作用について説明する。この多重腰折湿潤紙状体１は、上記各右向き腰折湿潤紙状体１１と上記各左向き腰折湿潤紙状体１２とを腰折方向に対して垂直方向の上記後縁重畳部１６と上記前縁重畳部１７とが遠ざかる向きにずらした構成であるため、上記相の手組部１５の面積を縮小できる。例えば、図７に示す折構造を腰折方向に適用し腰折方向に対して垂直方向へのずらし巾を二分の一とした場合、上記相の手組部１５の面積は各腰折湿潤紙状体１１，１２の面積の四分の一の面積に縮小できる。また、例えば、図８に示す折構造を腰折方向に適用し腰折方向に対して垂直方向へのずらし巾を二分の一とした場合、上記相の手組部１５の面積は各腰折湿潤紙状体１１，１２の面積の六分の一の面積に縮小できる。
【００５２】
また、上記各右向き腰折湿潤紙状体１１と上記各左向き腰折湿潤紙状体１２とを腰折方向に対して垂直方向にずらした構成であるため、腰折方向の引張力に対して、最上位の腰折湿潤紙状体１１，１２の下部折片１１ａ，１２ａと下位腰折湿潤紙状体１１，１２の上部折片１１ｂ，１２ｂとの関係では、上記相の手組部１５でのみ摩擦力が作用し、上記前縁重畳部１７又は上記後縁重畳部１６では摩擦力が作用しない。
【００５３】
このため、最上位の腰折湿潤紙状体１１，１２の上部折片１１ｂ，１２ｂ（組部上部折片１１ｆ，１２ｆ）を摘出すると、最上位の腰折湿潤紙状体１１，１２の上記前縁重畳部１７又は上記後縁重畳部１６の下部折片１１ａ，１２ａが順に取り出され、続いて、摩擦力が最も大きくなる対角線方向に上記相の手組部１５の下部折片１１ａ，１２ａ（組部下部折片１１ｅ，１２ｅ）が徐々に取り出され、最後に、上記相の手組部１５を形成する最上位の腰折湿潤紙状体１１，１２の下部折片１１ａ，１２ａ（組部下部折片１１ｅ，１２ｅ）の、摩擦力が最も大きくなる対角線方向のコーナー１８が取り出されるように引張力が作用する。この結果、下位腰折湿潤紙状体１１，１２の上部折片１１ｂ，１２ｂ（組部上部折片１１ｆ，１２ｆ）のコーナー１８が容器１３の取出口１３ａから誘出される。
【００５４】
さらに、上記各右向き腰折湿潤紙状体１１と上記各左向き腰折湿潤紙状体１２とを腰折方向に対して垂直方向の上記後縁重畳部１６と上記前縁重畳部１７とが遠ざかる向きにずらした構成であるため、上記相の手組部１５が多重腰折湿潤紙状体１の中心部に形成される。このため、容器１３の上面部中心に設けられた取出口１３ａから誘出される下位腰折湿潤紙状体１１，１２の上部折片１１ｂ，１２ｂ（組部上部折片１１ｆ，１２ｆ）のコーナー１８が取出口１３ａの近傍にくるようにできる。
【００５５】
上記のように、上記相の手組部１５の面積を従来よりも縮小できることに加えて、下位腰折湿潤紙状体１１，１２の上部折片１１ｂ，１２ｂ（組部上部折片１１ｆ，１２ｆ）のコーナー１８が取出口１３ａから誘出されるため、多重腰折湿潤紙状体１における各腰折湿潤紙状体１１，１２の上部折片１１ｂ，１２ｂ（組部上部折片１１ｆ，１２ｆ）の誘出長を従来よりも効果的に短縮することができる。
【００５６】
また、多重腰折湿潤紙状体１における各腰折湿潤紙状体１１，１２の上部折片１１ｂ，１２ｂ（組部上部折片１１ｆ，１２ｆ）の誘出長を従来よりも効果的に短縮できることに加えて、下位腰折湿潤紙状体１１，１２の上部折片１１ｂ，１２ｂ（組部上部折片１１ｆ，１２ｆ）のコーナー１８が容器１３の上面部中心に設けられた取出口１３ａの近傍にくるため、収納されている最上位の腰折湿潤紙状体１１，１２の上部折片１１ｂ，１２ｂ（組部上部折片１１ｆ，１２ｆ）を取出口１３ａから容易に摘出でき、摘出された状態にある上記上部折片１１ｂ，１２ｂ（組部上部折片１１ｆ，１２ｆ）を容器内に収納し易くできる。
【００５７】
また、この多重腰折湿潤紙状体１は、上記前縁重畳部１７及び上記後縁重畳部１６の折巾を調節することができるため、多重腰折湿潤紙状体１の局部を嵩高にすることなく上記各右向き腰折湿潤紙状体１１と上記各左向き腰折湿潤紙状体１２とのずらし巾を変更することができる。
【００５８】
したがって、実用上、腰折湿潤紙状体の材質や薬液等の種類・量に応じて上記相の手組部１５の寸法を大きく変更することができる。
【００５９】
なお、本発明は上述した実施の形態のみに限定されるものではなく、本発明の要旨を逸脱しない範囲において種々の変更が可能であることは勿論である。例えば、前縁重畳部及び後縁重畳部における折向きは上向き又は下向きの何れでもよい。
【図面の簡単な説明】
【００６０】
【図１】本発明の第１実施例である多重腰折湿潤紙状体の折構造の説明に供する図である。
【図２Ａ】本発明の第１実施例であり、各腰折湿潤紙状体を容器内に収容した状態を以て示す概略平面断面図である。
【図２Ｂ】本発明の第１実施例であり、各腰折湿潤紙状体を容器内に収容した状態を以て示す概略正面断面図である。
【図２Ｃ】本発明の第１実施例であり、各腰折湿潤紙状体を容器内に収容した状態を以て示す概略側面断面図である。
【図３】本発明の第１実施例における各腰折湿潤紙状体の展開図を示す平面図である。
【図４】本発明の第２実施例における各腰折湿潤紙状体の展開図を示す平面図である。
【図５】本発明の第３実施例における各腰折湿潤紙状体の展開図を示す平面図である。
【図６】上記第１実施例における多重腰折湿潤紙状体の加工法の説明に供する図である。
【図７】第１従来例であり、多重腰折ウェットティシューを容器内に収容した状態を以て示す概略断面図である。
【図８】第２従来例であり、多重腰折ウェットティシューを容器内に収容した状態を以て示す概略断面図である。
【図９Ａ】第３従来例であり、多重腰折ウェットティシューを容器内に収容した状態を以て示す概略断面図である。
【図９Ｂ】第３従来例であり、この例における多重腰折ウェットティシューの局部嵩高状態を示す側面図である。
【図１０Ａ】第４従来例であり、多重腰折ウェットティシューを容器内に収容した状態を以て示す概略断面図である。
【図１０Ｂ】第４従来例であり、この例における多重腰折ウェットティシューの局部嵩高状態を示す側面図である。
【図１１】第５従来例であり、多重腰折ウェットティシューを容器内に収容した状態を以て示す概略断面図である。
【図１２】第６従来例であり、多重腰折ウェットティシューを容器内に収容した状態を以て示す概略断面図である。
【符号の説明】
【００６１】
１            多重腰折湿潤紙状体
１１            右向き腰折湿潤紙状体
１２            左向き腰折湿潤紙状体
１１ａ，１２ａ    下部折片
１１ｂ，１２ｂ    上部折片
１１ｃ，１２ｃ    後縁部
１１ｄ，１２ｄ    前縁部
１１ｅ，１２ｅ    組部下部折片
１１ｆ，１２ｆ    組部上部折片
１３            容器
１３ａ            取出口
１５            相の手組部
１６            後縁重畳部
１７            前縁重畳部
１８            コーナー
【図１】
2008301961.tif 000003
【図２Ａ】
2008301961.tif 000004
【図２Ｂ】
2008301961.tif 000005
【図２Ｃ】
2008301961.tif 000006
【図３】
2008301961.tif 000007
【図４】
2008301961.tif 000008
【図５】
2008301961.tif 000009
【図６】
2008301961.tif 000010
【図７】
2008301961.tif 000011
【図８】
2008301961.tif 000012
【図９Ａ】
2008301961.tif 000013
【図９Ｂ】
2008301961.tif 000014
【図１０Ａ】
2008301961.tif 000015
【図１０Ｂ】
2008301961.tif 000016
【図１１】
2008301961.tif 000017
【図１２】
2008301961.tif 000018
【手続補正書】
【提出日】平成20年9月1日(2008.9.1)
【手続補正１】
【補正対象書類名】特許請求の範囲
【補正対象項目名】請求項１
【補正方法】変更
【補正の内容】
【請求項１】
各右向き腰折湿潤紙状体（又は左向き腰折湿潤紙状体）の下部折片と、各左向き腰折湿潤紙状体（又は右向き腰折湿潤紙状体）の上部折片とを相の手に組んで多重腰折湿潤紙状体を形成し、上記多重腰折湿潤紙状体を容器内に収容し、上記容器に設けた取出口より最上位の腰折湿潤紙状体の上部折片を引き出すことにより上記相の手組部において摩擦係合する下位の腰折湿潤紙状体の上部折片の遊離端を上記取出口より誘出させ連続取出しが行われるようにした多重腰折湿潤紙状体の連続取出し構造において、
上記各右向き腰折湿潤紙状体の後縁部（又は前縁部）を腰折方向に対して垂直方向に折り返してなる後縁重畳部（又は前縁重畳部）と、
上記各左向き腰折湿潤紙状体の前縁部（又は後縁部）を腰折方向に対して垂直方向に折り返してなる前縁重畳部（又は後縁重畳部）とを備え、
上記各右向き腰折湿潤紙状体と上記各左向き腰折湿潤紙状体とを腰折方向に対して垂直方向の上記後縁重畳部と上記前縁重畳部とが遠ざかる向きに、上記相の手組部が上記前縁重畳部又は上記後縁重畳部の何れとも重ならないようにずらした構成とすることを特徴とする多重腰折湿潤紙状体の連続取出し構造。
【手続補正２】
【補正対象書類名】明細書
【補正対象項目名】００２５
【補正方法】変更
【補正の内容】
【００２５】
本発明は、上記課題を解決するためになされたもので、各右向き腰折湿潤紙状体（又は左向き腰折湿潤紙状体）の下部折片と、各左向き腰折湿潤紙状体（又は右向き腰折湿潤紙状体）の上部折片とを相の手に組んで多重腰折湿潤紙状体を形成し、上記多重腰折湿潤紙状体を容器内に収容し、上記容器に設けた取出口より最上位の腰折湿潤紙状体の上部折片を引き出すことにより上記相の手組部において摩擦係合する下位の腰折湿潤紙状体の上部折片の遊離端を上記取出口より誘出させ連続取出しが行われるようにした多重腰折湿潤紙状体の連続取出し構造において、上記各右向き腰折湿潤紙状体の後縁部（又は前縁部）を腰折方向に対して垂直方向に折り返してなる後縁重畳部（又は前縁重畳部）と、上記各左向き腰折湿潤紙状体の前縁部（又は後縁部）を腰折方向に対して垂直方向に折り返してなる前縁重畳部（又は後縁重畳部）とを備え、上記各右向き腰折湿潤紙状体と上記各左向き腰折湿潤紙状体とを腰折方向に対して垂直方向の上記後縁重畳部と上記前縁重畳部とが遠ざかる向きに、上記相の手組部が上記前縁重畳部又は上記後縁重畳部の何れとも重ならないようにずらした構成とすることを特徴としている。